(57)【特許請求の範囲】
【請求項１】
ドライバービットが取り付けられるビット取付部と、このビット取付部にラチェット機構部を介して相対回動自在に設けられるグリップ部とから成るラチェットドライバー用の包装体であって、前記ビット取付部を回動操作可能に露出せしめる回動操作用開口部と、この回動操作用開口部を介してビット取付部を前記グリップ部に対して相対回動操作する際、前記グリップ部に当接して該グリップ部の回動を不能とするグリップ固定部とが設けられていることを特徴とするラチェットドライバー用の包装体。
【請求項２】
請求項１記載のラチェットドライバー用の包装体において、前記グリップ部の一部が露出するグリップ開口部が設けられ、このグリップ開口部の開口縁部に前記グリップ部の表面に当接する突起部を設けて前記グリップ固定部は構成されていることを特徴とするラチェットドライバー用の包装体。
【請求項３】
請求項１，２いずれか１項に記載のラチェットドライバー用の包装体において、前記ラチェットドライバーは、前記ビット取付部の回動方向を切り替え操作する回動方向切替操作部を有するものであり、この回動方向切替操作部が露出する切替操作開口部が設けられていることを特徴とするラチェットドライバー用の包装体。
【請求項４】
請求項３記載のラチェットドライバー用の包装体において、この包装体は、前記ラチェットドライバーを収納し該ラチェットドライバー全体を被覆するように構成されていることを特徴とするラチェットドライバー用の包装体。
【請求項５】
請求項１〜４いずれか１項に記載のラチェットドライバー用の包装体において、前記ビット取付部に取り付けられた前記ドライバービットを被覆するビット被覆部が設けられていることを特徴とするラチェットドライバー用の包装体。
【請求項６】
請求項１〜５いずれか１項に記載のラチェットドライバー用の包装体において、この包装体は、展開状態から折り曲げ状態とすることで前記ラチェットドライバーを収納する収納空間が形成されるシート体で構成されていることを特徴とするラチェットドライバー用の包装体。
【請求項７】
請求項６記載のラチェットドライバー用の包装体において、前記シート体は紙製であることを特徴とするラチェットドライバー用の包装体。
【請求項８】
請求項６記載のラチェットドライバー用の包装体において、前記シート体は透明樹脂製であることを特徴とするラチェットドライバー用の包装体。
【発明の詳細な説明】
【技術分野】
【０００１】
本発明は、ラチェットドライバーを包装するためのラチェットドライバー用の包装体に関するものである。
【背景技術】
【０００２】
本出願人は、特願２０１８−２２２３０６に開示されるラチェットドライバーを提案している。
【０００３】
このラチェットドライバーは、ドライバービットが取り付けられるビット取付部と、このビット取付部にラチェット機構部（ラチェットギアとラチェット歯との係合構造体）を介して相対回動自在に設けられるグリップ部とから成り、ビット取付部とグリップ部との間にはドライバービットの回動方向を切り替え操作する回動方向切替操作部が設けられたものである。
【０００４】
従って、このラチェットドライバーは、グリップ部とビット取付部とがラチェット機構部を介して相対回動する構造のため、グリップ部を持ち替えることなく、手首の反復動作でネジ締めを行うことができて極めて操作性に秀れたものである。
【先行技術文献】
【特許文献】
【０００５】
【特許文献１】特願２０１８−２２２３０６号公報
【発明の概要】
【発明が解決しようとする課題】
【０００６】
ところで、例えば前述したラチェットドライバーを販売する際、商品の名称や説明書きなどを掲載する目的の他、商品が汚れたり傷つかないように保護することを目的として包装体で包装されるが、メーカーは商品を購入する前にこの包装された状態においてもビット取付部の回動操作性（ラチェットギアのギア数や加工精度に伴う操作フィーリング）をユーザーに実際に回動操作をしてもらい、高品質をアピールしたい。また、ユーザーからも、当然、前記回動操作性を試したいという要求がある。
【０００７】
本発明は、このような現状に鑑みなされたもので、前述したラチェットドライバーの良好な包装を可能にする従来に無い実用的なラチェットドライバー用の包装体を提供する。
【課題を解決するための手段】
【０００８】
添付図面を参照して本発明の要旨を説明する。
【０００９】
ドライバービット60が取り付けられるビット取付部51と、このビット取付部51にラチェット機構部を介して相対回動自在に設けられるグリップ部52とから成るラチェットドライバー50用の包装体であって、前記ビット取付部51を回動操作可能に露出せしめる回動操作用開口部２と、この回動操作用開口部２を介してビット取付部51を前記グリップ部52に対して相対回動操作する際、前記グリップ部52に当接して該グリップ部52の回動を不能とするグリップ固定部３とが設けられていることを特徴とするラチェットドライバー用の包装体に係るものである。
【００１０】
また、請求項１記載のラチェットドライバー用の包装体において、前記グリップ部52の一部が露出するグリップ開口部３’が設けられ、このグリップ開口部３’の開口縁部に前記グリップ部52の表面に当接する突起部３ａを設けて前記グリップ固定部３は構成されていることを特徴とするラチェットドライバー用の包装体に係るものである。
【００１１】
また、請求項１，２いずれか１項に記載のラチェットドライバー用の包装体において、前記ラチェットドライバー50は、前記ビット取付部51の回動方向を切り替え操作する回動方向切替操作部53を有するものであり、この回動方向切替操作部53が露出する切替操作開口部５が設けられていることを特徴とするラチェットドライバー用の包装体に係るものである。
【００１２】
また、請求項３記載のラチェットドライバー用の包装体において、この包装体は、前記ラチェットドライバー50を収納し該ラチェットドライバー50全体を被覆するように構成されていることを特徴とするラチェットドライバー用の包装体に係るものである。
【００１３】
また、請求項１〜４いずれか１項に記載のラチェットドライバー用の包装体において、前記ビット取付部51に取り付けられた前記ドライバービット60を被覆するビット被覆部４が設けられていることを特徴とするラチェットドライバー用の包装体に係るものである。
【００１４】
また、請求項１〜５いずれか１項に記載のラチェットドライバー用の包装体において、この包装体は、展開状態から折り曲げ状態とすることで前記ラチェットドライバー50を収納する収納空間が形成されるシート体１で構成されていることを特徴とするラチェットドライバー用の包装体に係るものである。
【００１５】
また、請求項６記載のラチェットドライバー用の包装体において、前記シート体１は紙製であることを特徴とするラチェットドライバー用の包装体に係るものである。
【００１６】
また、請求項６記載のラチェットドライバー用の包装体において、前記シート体１は透明樹脂製であることを特徴とするラチェットドライバー用の包装体に係るものである。
【発明の効果】
【００１７】
本発明は上述のように構成したから、包装された状態においてもビット取付部の回動操作性を試すことができるなど、従来にない実用的なラチェットドライバー用の包装体となる。
【図面の簡単な説明】
【００１８】
【図１】本実施例の使用状態説明図である。
【図２】本実施例に係る包装本体の展開状態の説明図である。
【図３】本実施例の要部を説明する平断面図である。
【図４】本実施例を用いたラチェットドライバーの包装方法の説明図である。
【図５】本実施例を用いたラチェットドライバーの包装方法の説明図である。
【図６】本実施例を用いたラチェットドライバーの包装方法の説明図である。
【図７】本実施例を用いてラチェットドライバーを包装した状態の説明図である。
【図８】別例を示す斜視図である。
【図９】別例を用いてラチェットドライバーを包装した状態の説明図である。
【発明を実施するための形態】
【００１９】
好適と考える本発明の実施形態を、図面に基づいて本発明の作用を示して簡単に説明する。
【００２０】
本発明により包装されたラチェットドライバー50は、この包装された状態においてビット取付部51が回動操作できる。
【００２１】
即ち、例えばラチェットドライバー50が包装された状態において、ビット取付部51を回動操作する為には、ビット取付部51が露出していることが条件となるが、仮にこのビット取付部51が露出していても該ビット取付部51を回動させた際にグリップ部52が一緒に回動したのでは、ビット取付部51を回動操作（グリップ部52に対して相対回動）することはできない。
【００２２】
この点、本発明は、ビット取付部51を回動操作可能に露出せしめる回動操作用開口部２が設けられ、しかも、グリップ部52に当接して該グリップ部52の回動を不能とするグリップ固定部３が設けられているから、ビット取付部51を回動操作することができ（グリップ部52に対して相対回動でき）、よって、包装された状態においてもビット取付部51の回動操作性を試すことができる。
【実施例】
【００２３】
本発明の具体的な実施例について図面に基づいて説明する。
【００２４】
本実施例は、ドライバービット60が着脱自在に取り付けられるビット取付部51と、このビット取付部51にラチェット機構部（図示省略のラチェットギアとラチェット歯との係合構造体）を介して相対回動自在に設けられるグリップ部52とから成るラチェットドライバー50を包装する包装体である。
【００２５】
尚、ラチェットドライバー50として、特願２０１８−２２２３０６に開示されるラチェットドライバー50を採用しており、ビット取付部51とグリップ部52との間にはドライバービット（ビット取付部51）の回動方向を切り替え操作する回動方向切替操作部53（ラチェット機構部を操作する操作摘み）が設けられている。
【００２６】
具体的には、本実施例は、ビット取付部51を回動操作可能に露出せしめる回動操作用開口部２と、この回動操作用開口部２を介してビット取付部51をグリップ部52に対して相対回動操作する際、グリップ部52に当接して該グリップ部52の回動を不能とするグリップ固定部３と、ビット取付部51に設けられたドライバービット60を被覆するビット被覆部４と、回動方向切替操作部53が露出する切替操作開口部５が設けられたものであり、展開状態から折り曲げ状態とすることで収納空間を形成し得る大きさのシート体１で構成されている。
【００２７】
このシート体１は、図２に図示したように適宜な紙製の部材で形成された長尺体であり、その中央部位に間隔を介して設けられた一対の折り目１ａ（ミシン目）同士間の領域にしてラチェットドライバー50の基端部を被覆する第一被覆部１Ａと、この第一被覆部１Ａの正面位置に折り目１ａを折ることで立ち上がり形成されラチェットドライバー50の正面部を被覆する第二被覆部１Ｂと、第一被覆部１Ａの背面位置に折り目１ａを折ることで立ち上がり形成されラチェットドライバー50の背面部を被覆する第三被覆部１Ｃとで構成されており、ラチェットドライバー50を包装した際、該ラチェットドライバー50の左右側面部が開放されるタイプの包装体である。
【００２８】
第一被覆部１Ａには円形の開口部６が設けられており、この開口部６は、グリップ部52の基端部に回動方向切替操作部53が設けられたタイプのラチェットドライバー50を包装する際に切替操作開口部として機能する。
【００２９】
第二被覆部１Ｂ及び第三被覆部１Ｃは、夫々グリップ部52を被覆する部位に該グリップ部52の一部が露出するグリップ開口部３’が設けられている。
【００３０】
この各グリップ開口部３’は、ラチェットドライバー50を包装した際、グリップ部52の表裏対向する面、即ち、正面及び背面夫々を露出するもので、この各グリップ開口部３’の開口縁部にして左右縁部夫々の上下位置には、グリップ部52の表面に当接する合計４つの突起部３ａが設けられている。
【００３１】
この各突起部３は、ビット取付部51をグリップ部52に対して相対回動操作する際、その先端部がグリップ部52に当接することで該グリップ部52の回動を不能とするグリップ固定部３として構成されている。
【００３２】
また、第二被覆部１Ｂのグリップ開口部３’の上部は、回動方向切替操作部53を露出させる切替操作開口部５として機能する。
【００３３】
また、第二被覆部１Ｂには、グリップ開口部３’の上方近傍位置に内側へ切り起こし状態となる片部材７が設けられ、この片部材７には孔７ａが設けられ、この孔７ａを介して片部材７はビット取付部51に被嵌するように構成されている。
【００３４】
また、片部材７の先端部には、後述する第三被覆部１Ｃに設けられる開口部（回動操作用開口部２）の下端部に設けられる被係止部７ｃに挿入係止する係止部７ｂが設けられている。
【００３５】
従って、片部材７は、係止部７ｂを被係止部７ｃに挿入係止することで第二被覆部１Ｂと第三被覆部１Ｃとの間に架設状態となり、この片部材７が被嵌されるラチェットドライバー50は位置決め状態で包装される。
【００３６】
また、第二被覆部１Ｂは、片部材７を起こすことで開口部が形成され、この開口部は、ラチェットドライバー50を包装した状態においてビット取付部51を回動操作可能に露出せしめる回動操作用開口部２として機能する。
【００３７】
また、第三被覆部１Ｃには、回動操作用開口部２と対向する位置に開口部が設けられ、この開口部の下端部は、前述した片部材７の先端部に設けられた係止部７ｂが挿入係止するスリット状の被係止部７ｃが設けられている。
【００３８】
また、この第三被覆部１Ｃの開口部は、第二被覆部１Ｂの開口部（回動操作用開口部２）と同様、ラチェットドライバー50を包装した状態においてビット取付部51を回動操作可能に露出せしめる回動操作用開口部２として機能する。
【００３９】
また、第三被覆部１Ｃは、その上部を折り返すことで第二被覆部１Ｂの上部に重合するように構成されている。
【００４０】
この第三被覆部１Ｃの折り返し部１Ｃ’の先端部と、第三被覆部１Ｃの開口部（回動操作用開口部２）の上端部は、ビット取付部51に取り付けられたドライバービット60を被覆するビット被覆部４として構成されている。
【００４１】
従って、このビット被覆部４によりビット取付部51に着脱自在となるドライバービット60の万一の紛失や盗難が防止される。
【００４２】
図８，９は別例であり、シート体１を適宜な透明樹脂製の部材で形成した場合である。
【００４３】
また、この別例は、立ち上がり形成して重合する第二被覆部１Ｂ及び第三被覆部１Ｃの上方部位同士には紙製の台紙８が挟持状態で設けられている。
【００４４】
符号９は店舗などで陳列する際に使用される陳列用の孔である。
【００４５】
以上の構成から成る包装体を用いたラチェットドライバー50の包装方法について説明する。
【００４６】
折り目１ａを折ることで第二被覆部１Ｂを立ち上がり形成するとともに、片部材７を起こした状態とし、この片部材７の孔７ａにビット取付部51を嵌挿させる（図４，５参照）。
【００４７】
続いて、折り目１ａを折ることで第三被覆部１Ｃを立ち上がり形成して、片部材７の係止部７ｂを被係止部７ｃに挿入係止する（図６参照）。
【００４８】
続いて、第三被覆部１Ｃの折り返し部１Ｃ’を折り返して第二被覆部１Ｂに重合させ、この状態で止着部材10（ホッチキス）で止着して包装は完了する（図７参照）。
【００４９】
本実施例は上述のように構成したから、包装されたラチェットドライバー50は、この包装された状態においてもビット取付部51が回動操作できる。
【００５０】
即ち、例えばラチェットドライバー50が包装された状態において、ビット取付部51を回動操作する為には、ビット取付部51が露出していることが条件となるが、仮にこのビット取付部51が露出していても該ビット取付部51を回動させた際にグリップ部52が一緒に回動したのでは、ビット取付部51を回動操作（グリップ部52に対して相対回動）することはできない。
【００５１】
この点、本実施例は、ビット取付部51を回動操作可能に露出せしめる回動操作用開口部２が設けられ、しかも、グリップ部52に当接して該グリップ部52の回動を不能とするグリップ固定部３が設けられているから、ビット取付部51を回動操作することができ（グリップ部52に対して相対回動でき）、よって、包装された状態においてもビット取付部51の回動操作性を試すことができる。
【００５２】
また、本実施例は、グリップ部52の一部が露出するグリップ開口部３’が設けられ、このグリップ開口部３’の開口縁部にグリップ部52の表面に当接する突起部３ａを設けてグリップ固定部３は構成されているから、簡易構造で前述した作用効果を確実に奏することができる。
【００５３】
また、本実施例は、ラチェットドライバー50は、ビット取付部51の回動方向を切り替え操作する回動方向切替操作部53を有するものであり、この回動方向切替操作部53が露出する切替操作開口部５が設けられているから、包装された状態においても回動方向切替操作部53を切り替え操作することができる。
【００５４】
また、本実施例は、ラチェットドライバー50を収納し該ラチェットドライバー50全体を被覆するように構成されているから、前述した作用効果を確実に奏することになる。
【００５５】
また、本実施例は、ビット取付部51に取り付けられたドライバービット60を被覆するビット被覆部４が設けられているから、ドライバービット60の万一の紛失や盗難を確実に防止することができる。
【００５６】
また、本実施例は、展開状態から折り曲げ状態とすることでラチェットドライバー50を収納する収納空間が形成されるシート体１で構成されているから、簡易構造で前述した作用効果を確実に奏することができる。
【００５７】
また、本実施例は、シート体１は紙製若しくは透明樹脂製であるから、簡易且つ確実にラチェットドライバー50を包装することができる。
【００５８】
尚、本発明は、本実施例に限られるものではなく、各構成要件の具体的構成は適宜設計し得るものである。
【符号の説明】
【００５９】
１  シート体
２  回動操作開口部
３  グリップ固定部
３’  グリップ開口部
３ａ  突起部
４  ビット被覆部
５  切替操作開口部
50  ラチェットドライバー
51  ビット取付部
52  グリップ部
53  回動方向切替操作部
60  ドライバービット
【要約】
【課題】本発明は、従来に無い実用的なラチェットドライバー用の包装体を提供することを目的とする。
【解決手段】ドライバービット60が取り付けられるビット取付部51と、このビット取付部51にラチェット機構部を介して相対回動自在に設けられるグリップ部52とから成るラチェットドライバー50用の包装体であって、前記ビット取付部51を回動操作可能に露出せしめる回動操作用開口部２と、この回動操作用開口部２を介してビット取付部51を前記グリップ部52に対して相対回動操作する際、前記グリップ部52に当接して該グリップ部52の回動を不能とするグリップ固定部３とが設けられたものである。
【選択図】図１【図１】
0006929573.tif 000002
【図２】
0006929573.tif 000003
【図３】
0006929573.tif 000004
【図４】
0006929573.tif 000005
【図５】
0006929573.tif 000006
【図６】
0006929573.tif 000007
【図７】
0006929573.tif 000008
【図８】
0006929573.tif 000009
【図９】
0006929573.tif 000010